(57)【要約】【課題】  撮影者に快適な操作感を提供することを課題とする。【解決手段】  回転軸を中心に回転可能で、更に該回転軸に対して撮像装置内方へ垂直方向に押圧操作が可能な電子ダイヤルと、前記電子ダイヤルの回転軸と略垂直に押圧操作が可能な第２の操作部材とを備えた撮像装置において、前記電子ダイヤルは、前記電子ダイヤルの回転軸と略垂直な平面と、前記第２の操作部材の押圧方向の交点が外観側にくるように配置されることを特徴とする撮像装置を提供する。【選択図】  図６
2006047770.tif 000002
【特許請求の範囲】
【請求項１】
回転軸を中心に回転可能な電子ダイヤルを備えた撮像装置において、
前記電子ダイヤルは、前記電子ダイヤルの回転軸と垂直な平面と、前記撮像装置の底面とのなす角度が２５度以上６５度以下となるように配置されること、を特徴とする撮像装置。
【請求項２】
請求項１に記載の撮像装置において、前記電子ダイヤルは、該電子ダイヤルの回転軸に対して撮像装置内方へ垂直方向に押圧操作が可能であること、を特徴とする撮像装置。
【請求項３】
請求項１に記載の撮像装置において、該撮像装置は、前記電子ダイヤルの近傍に、
前記電子ダイヤルの回転軸と略垂直に押圧操作が可能な、第２の操作部材を備えることを特徴とする撮像装置。
【請求項４】
請求項３に記載の撮像装置において、前記第２の操作部材は、撮影準備及び撮影開始機能を備えた操作部材であることを特徴とする撮像装置。
【請求項５】
請求項１乃至４のいずれか１項に記載の撮像装置において、前記電子ダイヤルと前記第２の操作部材のうちいずれか一方、または前記電子ダイヤルと前記第２の操作部材の双方は、
前記撮像装置に備えられた電池収納部の上部に配置されることを特徴とする撮像装置。
【請求項６】
回転軸を中心に回転可能で、更に該回転軸に対して撮像装置内方へ垂直方向に押圧操作が可能な電子ダイヤルと、前記電子ダイヤルの回転軸と略垂直に押圧操作が可能な第２の操作部材とを備えた撮像装置において、
前記電子ダイヤルは、前記電子ダイヤルの回転軸と略垂直な平面と、前記第２の操作部材の押圧方向の交点が外観側にくるように配置されることを特徴とする撮像装置。
【請求項７】
請求項６に記載の撮像装置において、前記電子ダイヤルは、前記電子ダイヤルの回転軸と垂直な面と、前記撮像装置の底面とのなす角が２５度以上６５度以下となるように配置されることを特徴とする撮像装置。
【請求項８】
請求項６に記載の撮像装置において、前記第２の操作部材は、撮影準備及び撮影開始機能を備えた操作部材であることを特徴とする撮像装置。
【請求項９】
請求項６に記載の撮像装置において、前記電子ダイヤルと前記第２の操作部材のうちいずれか一方、または前記電子ダイヤルと前記第２の操作部材の双方は、前記撮像装置に備えられた電池収納部の上部に配置されることを特徴とする撮像装置。
【請求項１０】
請求項１乃至９のいずれか１項に記載の撮像装置において、前記電子ダイヤルは、該電子ダイヤルの回転操作によってシャッター速度、絞り値等の撮影情報を設定できること、を特徴とする撮像装置。
【請求項１１】
請求項１乃至９のいずれか１項に記載の撮像装置において、前記電子ダイヤルは、該電子ダイヤルの回転操作に応じた回転クリックを有し、前記撮像装置は、該電子ダイヤルの回転クリック数に応じた前記撮影情報設定値の変化量を選択できる手段を備えたことを特徴とする撮像装置。
【請求項１２】
請求項１乃至９のいずれか１項に記載の撮像装置において、前記電子ダイヤルは、撮影モード等の設定における各種設定項目の選択手段を備え、該電子ダイヤルの回転軸と略垂直な平面部に撮影モード等の指標部を備えたことを特徴とする撮像装置。
【請求項１３】
請求項１２に記載の撮像装置において、前記撮影モード等の指標部は、前記電子ダイヤルの回転軸と略垂直な２箇所の平面部のうち、操作者の視線方向側の平面部に備えられることを特徴とする撮像装置。
【発明の詳細な説明】
【技術分野】
【０００１】
本発明は、銀塩カメラ、デジタルスチルカメラ、デジタルビデオカメラ等において、回転操作により撮像装置の各種撮影情報の設定を行う電子ダイヤルを備えた撮像装置に関し、特に、当該撮像装置における電子ダイヤルのレイアウトに関するものである。
【背景技術】
【０００２】
従来より、回転操作により撮像装置の各種撮影情報の設定を行う電子ダイヤルを備えた撮像装置が知られている。
【０００３】
例えば特開２００２−３３３６６０では、回転可能で且つカメラ本体内方へ押込み操作可能な電子ダイヤルの回転軸を、カメラ本体の前後方向に配向させ電子ダイヤルの回転操作に応じてズーム・ワイド操作を行い、押込み操作によってシャッター機能を持たせるというものがある。
【０００４】
また、撮像装置における電子ダイヤルのレイアウト法として特開平１１−９５３００に記載されているように、電池をカメラの上下方向に縦に並べて配置し、その光軸方向の前または後にメインコンデンサを配置し、更に、これらの上部に回転式操作部材やレリーズボタンを配置することにより、カメラの横方向の大きさを小さくするというものがある。
【特許文献１】特開２００２−３３３６６０号公報
【特許文献２】特開平１１−９５３００号公報
【発明の開示】
【発明が解決しようとする課題】
【０００５】
しかし、上記特開２００２−３３３６６０では、電子ダイヤルを、該電子ダイヤルの回転軸がカメラ本体の前後方向に配向するようにレイアウトしているので、カメラの高さが嵩んでしまい、デザイン上好ましくないだけでなく、操作性の悪化が懸念される。
【０００６】
また、上記特願平９−２５８３３３に記載のレイアウト法では、カメラに備えられた電池収納部の上部に搭載する電子ダイヤルは、カメラの高さを抑えるために水平方向にしか回転できないように配置されており、該レイアウトでは人差し指で操作しづらいという課題があった。
【課題を解決するための手段】
【０００７】
そこで、上記課題を解決するために、本発明は以下の手段を講じている。
【０００８】
一つの手段として、回転軸を中心に回転可能な電子ダイヤルを備えた撮像装置において、前記電子ダイヤルは、前記電子ダイヤルの回転軸と垂直な平面と、前記撮像装置の底面とのなす角度が２５度以上６５度以下となるように配置されること、を特徴とする撮像装置を提供する。
【０００９】
また、他の手段として、回転軸を中心に回転可能で、更に該回転軸に対して撮像装置内方へ垂直方向に押圧操作が可能な電子ダイヤルと、前記電子ダイヤルの回転軸と略垂直に押圧操作が可能な第２の操作部材とを備えた撮像装置において、前記電子ダイヤルは、前記電子ダイヤルの回転軸と略垂直な平面と、前記第２の操作部材の押圧方向の交点が外観側にくるように配置されることを特徴とする撮像装置を提供する。
【発明の効果】
【００１０】
本発明によれば、撮影者に快適な操作感を提供できる。
【発明を実施するための最良の形態】
【００１１】
図１は、本発明の実施形態であるところのデジタルカメラを構成する機能ブロックを並べた基本構成図である。
【００１２】
図１において１はデジタルカメラを制御し、各種データの演算を行うＣＰＵ（Ｃｅｎｔｒａｌ  Ｐｒｏｃｅｓｓｉｎｇ  Ｕｎｉｔ）である。２はＣＰＵが動作中に各種データを格納するメモリであるＲＡＭ（Ｒａｎｄａｍ  Ａｃｃｅｓｓ  Ｍｅｍｏｒｙ）、３はＣＰＵで実行されるプログラムや各種データを予め格納しておくＲＯＭ（Ｒｅａｄ  Ｏｎｌｙ  Ｍｅｍｏｒｙ）である。４はレンズやシャッター等を制御し、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子から得られる電子画像データにより撮影を行うカメラモジュール、５は４によって撮影された画像データをＪＰＥＧ（Ｊｏｉｎｔ  Ｐｈｏｔｏｇｒａｐｈｉｃ  Ｅｘｐｅｒｔ  Ｇｒｏｕｐ）圧縮したり、ＪＰＥＧ圧縮された画像データを伸張するＪＰＥＧモジュール、６は取り外し可能な不揮発性メモリカードを接続する為のメモリカードインターフェース部、７は不揮発性メモリカードであり、４のＪＰＥＧモジュールによって圧縮された画像データを画像ファイルとして保存する。
【００１３】
８は本デジタルカメラに設けられた液晶表示装置（ＬＣＤ：Ｌｉｑｕｉｄ  Ｃｒｙｓｔａｌ  Ｄｉｓｐｌａｙ）に撮影画像、再生画像等の表示を行うビデオモジュール、
９は、本体に備えられた不揮発性メモリ或いは取り外し可能な不揮発性メモリカードに保存された撮影データを印刷する為のプリントモジュール、
１０は本装置をユーザーが操作する為のボタンの状態を読み取るユーザーインターフェースモジュール、１１は本装置を動作させる為の電源を供給するバッテリーモジュールである。
【００１４】
図２、図３は、本発明の実施形態であるところのデジタルカメラであり、それぞれカメラ本体の正面図、背面図である。また、図４、図５はそれぞれ斜視図、右側面図である。
【００１５】
１０１はカメラ正面側に設けられた外装（前カバー）、１０２は被写体像を取り込む光学系を有するレンズ部、１０３はストロボ部、１０４は光学ファインダ窓、１０５は補助光窓、１０７はレンズ部１０２を保持する鏡筒部である。
【００１６】
また１０８は、カメラ本体を把持するために、側部に備えられたグリップ部であり、１０６は、撮影準備及び撮影開始機能を備えた操作部材である所謂レリーズボタン、１０９は、光学式変倍機能或いはデジタル式変倍機能において、その倍率を調節操作する為のズームレバーであり、レリーズボタン１０９の押圧方向と平行な軸を中心にして左右に回動可能である。
【００１７】
１１４は、撮影画像の確認・再生、撮影条件などの各種情報を表示する為の液晶表示装置（ＬＣＤ）、１１０は、本装置の動作を制御する為に備えられた、各操作ボタンであり、１１１は、スイッチ群１１０同様の機能を果たし、一部材の中に４つのスイッチ押圧箇所を有する所謂十字キーである。
【００１８】
１１２はカメラ背面側に備えられた外装（後カバー）、１１３はカメラ本体の電源のＯＮ／ＯＦＦを行うスイッチである。
【００１９】
１１５は、撮影における種々の撮影条件・撮影モードを設定する電子ダイヤルであり、該電子ダイヤルの回転操作により撮影条件・撮影モードの設定を行い、更にカメラ内方への押圧操作により選択された撮影条件・撮影モードが設定される。本実施形態では、該電子ダイヤルの回転操作によって、シャッター速度値・絞り値等の選択を行った後、カメラ内方への押圧操作により前記回転操作により選択された値を設定する。
【００２０】
１１７は、カメラ上面側に備えられた外装（上カバー）であり、本実施形態においては、前記電子ダイヤル１１５はフレキシブルプリント基板（非図示）上に実装されており、板金を中継部材として該上カバー１１７に固定されている。
【００２１】
図６は、電子ダイヤル１１５並びに第２の操作部材１０６（レリーズボタン）のレイアウトを示すものである。
【００２２】
ここで、１１６は電池収納部であり、前記電子ダイヤル１１５・前記第２の操作部材１０６の双方はこの電池収納部１１６の上部に配置される。
【００２３】
更に本実施形態では電子ダイヤル１１５を、電子ダイヤル１１５の回転軸と垂直な平面とカメラ本体の底面とのなす角Ｘが４０度となるように配置している。
【００２４】
これにより、電子ダイヤルの回転軸と垂直な平面とカメラ底面のなす角が垂直であった従来と比較して、カメラ本体の高さを大幅に抑えることが可能となる。
【００２５】
また、第２の操作部材（レリーズボタン）１０６を、電子ダイヤル１１５の前方に、且つ電子ダイヤル１１５の押圧方向と第２の操作部材１０６の押圧方向の交点Ｐが外観側にくるように配置しているので、Ｐ点近傍を中立位置として電子ダイヤル１１５により撮影条件・撮影モードを選択・決定した後に、第２の操作部材（レリーズボタン）１０６の押圧操作にスムーズに移ることができる。
【００２６】
これにより、片手の一本の指で双方の操作部材を快適に操作できるだけでなく、シャッターチャンスを逃すことなく操作者の所望の撮影が可能となる。
【００２７】
図８は、請求項１２記載の発明を適用した実施形態を示すものであり、図のように、電子ダイヤルの回転軸と略垂直な平面部に撮影モード等の指標部を備えている。
【００２８】
本実施形態では請求項１３に記載されているように、前記撮影モード等の指標部を前記電子ダイヤルの回転軸と略垂直な２箇所の平面部のうち、操作者の視線方向側の平面部に備えている。
【００２９】
ここで、「操作者の視線方向側の平面部」とは、図７からも分かるように、操作者がカメラを把持した状態において操作者に対して配向している平面部、である。
【００３０】
これにより、例えばウエストレベル近傍でカメラを把持した状態において、操作者の視線方向と、撮影モード等の指標が備えられた電子ダイヤルの平面部が略垂直となるので、指標の視認性が極めて良好となり、誤ったモード選択（操作者の所望ではないモード選択）による撮影の可能性が大幅に低減する。
【図面の簡単な説明】
【００３１】
【図１】本発明を適用したデジタルカメラの実施例におけるデジタルカメラの機能ブロック図である。
【図２】本発明を適用したデジタルカメラの実施例におけるカメラ本体の正面図である。
【図３】本発明を適用したデジタルカメラの実施例におけるカメラ本体の背面図である。
【図４】本発明を適用したデジタルカメラの実施例におけるカメラ本体の斜視図である。
【図５】本発明を適用したデジタルカメラの実施例におけるカメラ本体の左側面図である。
【図６】本発明を適用したデジタルカメラの実施例における、電子ダイヤル及び第２の操作部材のレイアウト図である。
【図７】デジタルカメラの外観を表す図である。
【図８】デジタルカメラの外観を表す図である。
【符号の説明】
【００３２】
１  ＣＰＵ
２  ＲＡＭ
３  ＲＯＭ
４  カメラモジュール
５  ＪＰＥＧモジュール
６  不揮発性メモリカードＩＦ部
７  不揮発性メモリカード
８  ビデオモジュール
９  プリンタモジュール
１０  ＵＩモジュール
１１  バッテリモジュール
１０１  前カバー
１０２  レンズ部
１０３  ストロボ部
１０４  光学ファインダ窓
１０５  補助光窓
１０６  レリーズボタン
１０７  鏡筒部
１０８  カメラグリップ部
１０９  ズームレバー
１１０  操作ボタン
１１１  十字ボタン
１１２  後カバー
１１３  電源ＯＮ／ＯＦＦ  ボタン
１１４  液晶表示装置（ＬＣＤ）
１１５  電子ダイヤル
１１６  電池収納部上カバー
【図１】
2006047770.tif 000003
【図２】
2006047770.tif 000004
【図３】
2006047770.tif 000005
【図４】
2006047770.tif 000006
【図５】
2006047770.tif 000007
【図６】
2006047770.tif 000008
【図７】
2006047770.tif 000009
【図８】
2006047770.tif 000010